(57)【要約】【課題】貼付シートを体内に導入して確実に展開し体内の患部に貼付することができる。【解決手段】  貼付シートＳの体内挿入補助具１０は、体内の患部に貼付される貼付シートＳを棒状体の先端部に巻かれた状態にして体内に導入するためのものであって、２枚の重なるフィルムシート２１、２１よりなり外周縁が一端部の開口部２４を残して封止されることによりフィルムシート２１、２１間に貼付シートＳの収容が可能なポケット収容部２３を備えるとともに、開口部２４はポケット収容部２３に対して貼付シートＳの出し入れが可能な開口幅Ｄを有している袋部材２０と、弾性復元力を有する線材よりなり開口部２４に対して反対側の端部よりポケット収容部２３に挿入され、その挿入された部分は開口部２４の手前位置においてポケット収容部２３の他側縁に向けて曲げられたワイヤー部材３０とを備えている。【選択図】図１
2018000553.tif 000002
【特許請求の範囲】
【請求項１】
体内の患部に貼付される貼付シートを棒状体の先端部に巻かれた状態にして体内に導入するための貼付シートの体内挿入補助具であって、
２枚の重なるフィルムシートよりなり外周縁が一端部の開口部を残して封止されることにより前記フィルムシート間に前記貼付シートの収容が可能なポケット収容部を備えるとともに、前記開口部は前記ポケット収容部に対して前記貼付シートの出し入れが可能な開口幅を有している袋部材と、
前記袋部材が巻かれた状態から解除された際に前記袋部材を開口幅方向に展開する復元機構とを備えた貼付シートの体内挿入補助具。
【請求項２】
前記復元機構が、弾性復元力を有する線材よりなり前記開口部に対して反対側の端部より前記ポケット収容部に対してスライド自在に挿入され、その挿入された部分は前記開口部に向けて湾曲した形状をなすワイヤー部材である請求項１に記載の貼付シートの体内挿入補助具。
【請求項３】
前記袋部材は、前記開口部において前記一方のフィルムシートと連続するシート支持片を備えており、前記シート支持片は、前記開口部で前記ポケット収容部内に折り返されることで折り返し部分を形成し、前記折り返し部分がポケット収容部内の前記ワイヤー部材上に重ねられることにより前記折り返し部分と前記他方のフィルムシートとの間に前記貼付シートが収容可能な間隙が設けられている請求項２記載の貼付シートの体内挿入補助具。
【請求項４】
前記袋部材は、前記開口部において前記両方のフィルムシートと連続するシート支持片を備えており、前記シート支持片はその先端部において連続する又はその先端部において接合することにより生成される接合部を備えることにより繋がっており、前記シート支持片の外側の面が内向きとなって対向するように前記ポケット収容部の内側へ折り込まれることにより折り込み部分が形成され、前記折り込み部分がポケット収容部内の前記ワイヤー部材上に重ねられることにより前記折り込み部分の内側に前記貼付シートが収容可能な間隙が設けられている請求項２に記載の貼付シートの体内挿入補助具。
【請求項５】
前記袋部材は、前記シート支持片を備える少なくとも１つのフィルムシートが、同一形状の他のフィルムシートが重ねられて周囲が封止されることにより形成された袋状部を備え、前記ワイヤー部材が前記袋状部に挿入されている請求項３または４に記載の貼付シートの体内挿入補助具。
【請求項６】
請求項１〜５のいずれかに記載の貼付シートの体内挿入補助具であって、前記袋部材に設けられ前記ワイヤー部材による弾性復元力を補って袋部材を幅方向へ展開する復元補助機構をさらに備えている貼付シートの体内挿入補助具。
【請求項７】
前記復元補助機構は、前記袋部材の一方のフィルムシートの外側の面に他のフィルムシートが重ねられて外周縁が封止されることにより全幅にわたって形成される気密室と、前記気密室に先端部が差し込まれる管状部材とを備えたものである請求項６に記載の貼付シートの体内挿入補助具。
【請求項８】
前記復元補助機構は、前記袋部材の一方のフィルムシートの外側の面に幅方向に沿って形成された案内通路と、前記案内通路内に一側端より導入可能な断面形状であって前記案内通路の他側端まで到達可能な長さを有する可撓性部材とを備えたものである請求項７に記載の貼付シートの体内挿入補助具。
【発明の詳細な説明】
【技術分野】
【０００１】
本発明は、貼付シートを体内へ導入して体内の患部に貼付するための体内挿入補助具に関するものである。
【背景技術】
【０００２】
腹腔鏡などの内視鏡下の外科手術においては、切除部の止血や縫合部の補強を目的として切除部や縫合部を貼付シートで覆う場合がある。直接治療部位に触れることができない内視鏡下手術では、患者の腹壁に筒状のトロッカーを複数本穿刺し、これらトロッカーの貫通孔を通して内視鏡や鉗子を腹腔内に挿入して処置が行われる。貼付シートを貼り付ける際、貼付シートの体内への導入も同様にトロッカーの貫通孔を通す必要がある。
【０００３】
貼付シートを腹腔内に導入して患部に貼りつけるための器具として、例えば特許文献１に記載のものが提案されている。特許文献１に記載の器具は、内シャフトの先端側の部位にバルーンが取り付けられ、バルーンの外周面上にシートが巻き付けられており、内シャフトの先端側が外シース内に収容されている。
このような状態の器具の先端部を、トロッカーの貫通孔を通じて患部近傍まで導入する。内シャフトは外シースに対して軸方向の先端側に移動可能であり、内シャフトの先端側が外シースから外部に突出すると、内シャフトに巻き付けられたシートの巻き付け状態が解除されて、患部に適用される。また、バルーンを膨張させることで、シートを患部に圧迫させることができる。
【先行技術文献】
【特許文献】
【０００４】
【特許文献１】特開２０１０−１２１２７号公報
【発明の概要】
【発明が解決しようとする課題】
【０００５】
特許文献１に記載の器具においては、シートはバルーンの外周面上に単に巻き付けられているだけであり、シートが不織布など繊維状で絡みやすい材質の場合は、シートを外シースから外部に突出させただけではシートの巻き付け状態が解除されない場合がある。特に、大きいシートを腹腔内に導入するために、バルーンの外周面上にシートを複数回巻き付ける場合には、シートを外シースから外部に突出させただけではシート間の抵抗によりシートの巻き付け状態が解除されにくい。また、解除されたとしても、シートが湾曲した状態で巻き付けが解除されたり、シートに皺が生じたりして、患部の所望の位置にシートを貼り付けることが難しい場合がある。
また、シートの巻き付け状態が解除されない場合に、バルーンを膨張させてシートの巻き付け状態を解除しようとしても、シートの内側からシートが外方に向けて押されるだけであるため、巻き付け状態が解除されずにシートが破れたり、意図しない位置にシートが貼り付けられる恐れがある。
【０００６】
本発明は、上記した課題に着目してなされたものであり、貼付シートを体内に導入して確実に展開し体内の患部に貼付することができる体内挿入補助具を提供することを目的とする。
【課題を解決するための手段】
【０００７】
本発明による貼付シートの体内挿入補助具は、体内の患部に貼付される貼付シートを棒状体の先端部に巻かれた状態にして体内に導入するための貼付シートの体内挿入補助具であって、２枚の重なるフィルムシートよりなり外周縁が一端部の開口部を残して封止されることにより前記フィルムシート間に前記貼付シートの収容が可能なポケット収容部を備えるとともに、前記開口部は前記ポケット収容部に対して前記貼付シートの出し入れが可能な開口幅を有している袋部材と、前記袋部材が巻かれた状態から解除された際に前記袋部材を開口幅方向に展開する復元機構とを備えたものであり、上記の目的はこの体内挿入補助具により達成される。
【０００８】
上記の構成の体内挿入補助具では、袋部材のポケット収容部に貼付シートを収容し、棒状体の先端部に袋部材を巻き付け、棒状体の先端部をトロッカーの貫通孔に挿入する。体内においてトロッカーから袋部材が突出して巻き付け力が解除されると、復元機構の開口幅方向への復元力により袋部材はフラット又は僅かに湾曲した状態（以下、「フラットな状態」と言う。）にまで展開される。この状態で、袋部材を患部付近まで導入し、袋部材から鉗子等により貼付シートを取り出して貼付シートを患部に位置決めして貼付する。
このように、本発明によれば、復元機構により、貼付シートを収容した袋部材を棒状体へ巻き付けた状態から確実に開口幅方向にフラットな状態に展開することができる。また、貼付シートはフラットな状態で袋部材から引き出されて患部に貼付されるため、貼付シートを患部に皺なく貼り付けることができる。
【０００９】
さらに、貼付シートが水分で粘着力が活性化するような性質を有する場合、乾燥した状態で患部に貼付される必要があるが、本発明の体内挿入補助具によると、フィルムシートの間に貼付シートの大部分が収容されて体内に導入されるため、貼付シートを体液や血液等の水分から保護することができ、乾燥した状態で貼付可能となる。
【００１０】
この発明の一実施形態においては、前記復元機構が、弾性復元力を有する線材よりなり前記開口部に対して反対側の端部より前記ポケット収容部に対してスライド自在に挿入され、その挿入された部分は前記開口部に向けて湾曲した形状をなすワイヤー部材からなる。
【００１１】
上記の構成の体内挿入補助具では、貼付シートを収容した袋部材を棒状体の先端部に巻き付ける際は、ワイヤー部材が柔軟性を有しているため容易に巻き付けることができる。また、体内においてトロッカーから袋部材が突出すると、即座にワイヤー部材の開口幅方向への弾性復元力により袋部材の棒状体への巻き付けが解除され、フラットな状態にまで展開される。さらに、袋部材から貼付シートを取り出して貼付が完了した後は、ワイヤー部材を袋部材から引き抜くことで、柔軟なフィルムシートのみの構成とすることができ、トロッカーからの回収も容易になる。
【００１２】
好ましい実施形態においては、前記袋部材は、前記開口部において前記一方のフィルムシートと連続するシート支持片を備えており、前記シート支持片は、前記開口部で前記ポケット収容部内に折り返されることで折り返し部分を形成し、前記折り返し部分がポケット収容部内の前記ワイヤー部材上に重ねられることにより前記折り返し部分と前記他方のフィルムシートとの間に前記貼付シートが収容可能な間隙が設けられている。
【００１３】
袋部材が復元機構であるワイヤー部材によりフラットな状態に展開され、患部付近まで導入された後、ワイヤー部材を先端側に押し込むと、ポケット収容部内でワイヤー部材の湾曲部が先端側に移動し、ワイヤー部材がシート支持片の折り返し端部に当接する。さらにワイヤー部材を押し込むと、シート支持片の折り返し端部が袋部材の開口部から前方に移動してシート支持片が順次押し出され、シート支持片とフィルムシートとの間に収容された貼付シートがシート支持片の動きに追従して順次押し出される。このように、ワイヤー部材を押し込むだけの簡単な動作で貼付シートを袋部材から押し出すことができる。
【００１４】
袋部材を棒状体に巻き付ける際に予め貼付シートの一部を袋状部材から突出した状態で巻き付けておき、袋部材の開口部で突出した部分の貼付シートをシート支持片の折り返し部分で押さえた状態でワイヤー部材を押し込むことで、より確実に貼付シートを押し出すことができる。また、袋部材から突出した貼付シートを別のトロッカーから挿入された鉗子等で押さえて位置決め固定しても同様の効果を得ることができる。
【００１５】
他の実施形態においては、前記袋部材は、前記開口部において前記両方のフィルムシートと連続するシート支持片を備えており、前記シート支持片はその先端部において連続する又はその先端部において接合することにより生成される接合部を備えることにより繋がっており、前記シート支持片の外側の面が内向きとなって対向するように前記ポケット収容部の内側へ折り込まれることにより折り込み部分が形成され、前記折り込み部分がポケット収容部内の前記ワイヤー部材上に重ねられることにより前記折り込み部分の内側に前記貼付シートが収容可能な間隙が設けられている。
【００１６】
上記の構成によれば、ワイヤー部材の押し込み動作により、シート支持片の折り込み部分は袋部材の開口部から前方に順次押し出され、これにより折り込み部分の後端側の折り返し部分が折り込み部分の内側の間隙に収容された貼付シートを押し出すため、貼付シートをポケット収容部からより確実に押し出すことができる。
【００１７】
好ましい実施形態によれば、前記袋部材は、前記シート支持片を備える少なくとも１つのフィルムシートが、同一形状の他のフィルムシートが重ねられて周囲が封止されることにより形成された袋状部を備え、前記ワイヤー部材が前記袋状部に挿入されている。
【００１８】
ワイヤー部材が袋状部の内部に収容されていない場合、ワイヤー部材の押し込み動作によりシート支持片を押し出していくと、袋部材の開口部よりも前方にはワイヤー部材を幅方向に規制するものがなくなる。このため、シート支持片を押し出す際の抵抗が強くなった場合には、ワイヤー部材を押し込んでもワイヤー部材が幅方向に広がるだけでシート支持片を押し出す力とならない場合がある。しかしながら、ワイヤー部材が袋状部の内部に収容されている場合は、袋状部によりワイヤー部材の幅方向が常に規制されているため、ワイヤー部材の押し込み動作を確実にシート支持片を押し出す力とすることができ、貼付シートをより確実に袋部材から押し出すことができる。
【００１９】
好ましい実施形態によれば、体内挿入補助具は、前記袋部材に設けられ前記ワイヤー部材による弾性復元力を補って袋部材を幅方向へ展開する復元補助機構をさらに備えている。
【００２０】
上記の構成によれば、袋部材がトロッカーから突出した際に、復元機構による貼付シートの棒状体への巻き付け解除が不十分で袋部材がフラットな状態に復元されていない場合であっても、復元補助手段により袋部材をフラットな状態とすることができる。また、袋部材がフラットな状態となった後、復元補助手段によって袋部材をフラットな状態で維持することができる。
【００２１】
好ましい実施形態によれば、前記復元補助機構は、前記袋部材の一方のフィルムシートの外側の面に他のフィルムシートが重ねられて外周縁が封止されることにより全幅にわたって形成される気密室と、前記気密室に先端部が差し込まれる管状部材とを備えている。
【００２２】
上記の構成によれば、袋部材がフラットな状態に復元されていない場合であっても、気密室が袋部材の全幅に渡って形成されているため、管状部材を介して気密室に空気などの流体を導入することで、袋部材をフラットな状態とすることができる。また、気密室に空気を保つことでフラットな状態を維持することができるため、ワイヤー部材により貼付シートを安定して袋部材から押し出すことができる。
【００２３】
前記復元補助機構は、前記袋部材の一方のフィルムシートの外側の面に幅方向に沿って形成された案内通路と、前記案内通路内に一側端より導入可能な断面形状であって前記案内通路の他側端まで到達可能な長さを有する可撓性部材とを備えたものであってもよい。
【００２４】
上記の構成によれば、押し込み動作により可撓性部材を案内通路の一側端から他側端まで到達させることで、袋部材がフラットな状態に復元されていない場合であっても、袋部材をフラットな状態とすることができる。また、その状態を維持することができるため、ワイヤー部材により貼付シートを安定して袋部材から押し出すことができる。
【発明の効果】
【００２５】
本発明によれば、貼付シートを収容した袋部材を棒状体へ巻き付けた状態から確実にフラットな状態に展開することができる。また、貼付シートは袋部材がフラットな状態で鉗子等により袋部材から引き出されたり、ワイヤー部材の押し込み動作により袋部材から押し出されることで患部に位置決め固定されて貼付されるため、貼付シートを患部に皺なく貼り付けることができる。
【図面の簡単な説明】
【００２６】
【図１】本発明の一実施形態に係る貼付シートの体内挿入補助具の斜視図である。
【図２】体内挿入補助具が巻き付けられる棒状体の一例である。
【図３】本発明の他の実施形態に係る体内挿入補助具を示す斜視図である。
【図４】貼付シートが袋部材に収容された状態を示す斜視図である。
【図５】貼付シートが患部側に折り返された状態の図４のＡ−Ａ線に沿う断面図である。
【図６】貼付シートが押し出される途中の状態を示す斜視図である。
【図７】図３の実施形態の変形例を示す断面図である。
【図８】本発明の他の実施形態に係る体内挿入補助具を示す斜視図である。
【図９】貼付シートが袋部材に収容された状態を示す断面図である。
【図１０】図８の実施形態の変形例を示す断面図である。
【図１１】図８の実施形態の他の変形例を示す断面図である。
【図１２】本発明の他の実施形態に係る体内挿入補助具を示す斜視図である。
【図１３】図１２のＢ−Ｂ線に沿う断面図である。
【図１４】貼付シートが袋部材に収容された状態を示す断面図である。
【図１５】本発明の他の実施形態に係る体内挿入補助具を示す斜視図である。
【図１６】図１５のＣ−Ｃ線に沿う断面図である。
【図１７】貼付シートが袋部材に収容された状態を示す断面図である。
【図１８】本発明の他の実施形態に係る体内挿入補助具を示す斜視図である。
【図１９】図１８のＤ−Ｄ線に沿う断面図である。
【図２０】本発明の他の実施形態に係る体内挿入補助具を示す斜視図である。
【図２１】本発明の体内挿入補助具のワイヤー部材の変形例を示す斜視図であり、（Ａ）は先端部が環状である場合の斜視図、（Ｂ）は折り曲げた部分が環状である場合の斜視図、（Ｃ）はワイヤー部材を２本用いた場合の斜視図である。
【図２２】本発明の他の実施形態に係る体内挿入補助具を示す斜視図である。
【発明を実施するための最良の形態】
【００２７】
本発明の実施形態を図面を参照して説明する。
図１は、本発明の一実施形態の貼付シートＳの体内挿入補助具１０を示している。
貼付シートＳの体内挿入補助具１０は、体内の患部に貼付される貼付シートＳを棒状体の先端部に巻かれた状態にして体内に導入するためのものであって、袋部材２０とワイヤー部材３０（復元機構）とを備えている。
【００２８】
袋部材２０は、２枚の重なる矩形状のフィルムシート２１、２１よりなり、外周縁が一端部の開口部２４を残して熱溶着、接着等により封止されることにより形成されており、フィルムシート２１、２１間に貼付シートＳの収容が可能な矩形状のポケット収容部２３を有している。開口部２４の開口幅Ｄは、ポケット収容部２３に対して貼付シートＳの出し入れが可能な幅、すなわち、貼付シートＳの幅ｄより大きな値に設定されている。
【００２９】
なお、以下の説明において、袋部材２０に収容された貼付シートＳが体内に導入される方向を前側または先端側、前側と反対方向を後側または後端側とし、先端側と後端側に沿う方向を前後方向としている。また、２枚のフィルムシート２１、２１が重ねられる方向を上下方向とし、開口部に沿う方向を幅方向としている。
なお、本明細書の図においては、説明の便宜上、フィルムシート２１、２１やワイヤー部材３０、シート支持片５０、貼付シートＳ等を大きく表わしているが、実際の縮尺によるものではない。
【００３０】
貼付シートＳとしては、グンゼ株式会社製のポリグリコール酸を材料とした不織布である吸収性縫合補強材（ネオベール（登録商標））が挙げられるが、貼付シートＳはこれに限定されるものではなく、ガーゼや癒着防止材などでもよい。
【００３１】
フィルムシート２１、２１は、例えばポリエチレン、ポリプロピレン、ポリスチレン、ポリ塩化ビニル等の柔軟性を有する合成樹脂により形成されているが、他の合成樹脂により形成されたものを用いることもできる。
【００３２】
ポケット収容部２３は、１枚のフィルムシートを折り返し、折り返し部以外の各辺を熱溶着等により封止することで形成してもよい。また、チューブ状のフィルム材料を使用し、開口する２辺のうち１辺を熱溶着、接着等により封止して形成してもよい。
【００３３】
ポケット収容部２３の形状及び貼付シートＳの形状は矩形状には限定されず、ポケット収容部２３に所望形状の貼付シートＳを出し入れ可能に収容することが可能であればどのような形状であってもよく、楕円形状、円形状、多角形状であってもよい。また、ポケット収容部２３と貼付シートＳとの形状は異なる形状でもよい。
【００３４】
ワイヤー部材３０は、弾性復元力を有する線材により形成され、ポケット収容部２３に開口部２４に対して反対側（後端側）の外周縁２３ａの幅方向の端部より中空管２５を介してポケット収容部２３に対してスライド自在に挿入され、その挿入された部分は開口部２４の手前位置において幅方向へＵ字状に曲げられて先端がポケット収容部２３の他側縁２３ｂに達することにより、開口部２４に向けて湾曲した形状をなしている。なお、ワイヤー部材３０の配置状態は弾性復元力により袋部材２０を開口幅方向にフラットな状態に復元できればどのような形状でもよく、例えば開口幅方向に直線状に配置されていてもよく、Ｌ字状に曲げられていてもよい。
【００３５】
ワイヤー部材３０は、例えば、単線または撚り線からなる金属ワイヤーが挙げられる。金属の素材としては、例えば、ステンレス、タンタル、ニッケル−チタン合金が挙げられるが、弾性復元力に優れている形状記憶合金がより好ましい。また、ワイヤー部材３０の長さ方向に対して直交方向の断面形状は、円形、楕円形、長方形等が挙げられる。
【００３６】
中空管２５は、フィルムシート２１、２１の間に接着、熱溶着等により固定されており、この中空管２５の内腔を介してワイヤー部材３０がポケット収容部２３にスライド自在に挿入されている。中空管２５は、例えばステンレス等の金属製のパイプやポリエチレン、ポリプロピレン、ポリスチレン、ポリ塩化ビニル等の合成樹脂製のチューブにより構成されているが、他の材質により構成していてもよい。フィルムシート２１、２１と同材質の合成樹脂製のチューブとし、フィルムシート２１、２１の外周縁を熱溶着するのと同時に中空管２５を熱溶着してもよい。また、中空管２５を用いずに、フィルムシート２１、２１の未溶着部を設けて、未溶着部からワイヤー部材３０をポケット収容部２３内に挿入してもよい。
【００３７】
次に、体内挿入補助具１０を用いた貼付シートＳの体内導入方法について説明する。
まず、貼付シートＳの一部がポケット収容部２３の開口部２４から突出するように体内挿入補助具１０のポケット収容部２３に貼付シートＳを収容する。
そして、袋部材２０を開口部２４を先端側にして幅方向に沿って棒状体の先端部に体内挿入補助具１０を巻き付け、トロッカー（図示せず）の貫通孔に挿入する。この巻き付けによって、ワイヤー部材３０の幅方向に沿う部分が弾性変形して撓んだ状態になっている。体内で袋部材２０がトロッカーから突出すると、ワイヤー部材３０の弾性復元力により袋部材２０の棒状体への巻き付けが解除されてフラットな状態にまで展開される。
この状態で、棒状体を患部付近まで移動させ、別のトロッカーから挿入された鉗子により袋部材２０から突出した貼付シートＳの先端部を挟持し、袋部材２０から貼付シートＳを取り出して患部に位置決めして、貼付シートＳを患部に貼付する。
【００３８】
貼付シートＳの患部への貼付が完了すると、ワイヤー部材３０を後方に引っ張り、ワイヤー部材３０を袋部材２０から引き抜く。そして、袋部材２０が固定された棒状体（後述）をトロッカーから引き抜く。
【００３９】
開口部２４の一部に切り欠き部を備えることで貼付シートＳ全体をポケット収容部２３に収容し、切り欠き部から露出した部分の貼付シートＳを鉗子により挟持することで、袋部材２０から貼付シートＳを取り出すような構成としてもよい。
【００４０】
図２は、体内挿入補助具１０が巻き付けられる棒状体４０の一例を示している。棒状体４０は筒状であり、その先端部はポケット収容部２３の後端側の端縁２３ａの端部からポケット収容部２３内に挿入されて、端縁２３ａでフィルムシート２１、２１の間に熱溶着、接着等により固定されている。
棒状体４０のポケット収容部２３に挿入された部分には軸方向に沿う線状の切り欠き部４１が形成されている。ワイヤー部材３０は棒状体４０内にスライド自在に挿入され、ポケット収容部２３内において、ワイヤー部材３０の先端部分は棒状体４０の切り欠き部４１から棒状体４０の外側へ突出して他側縁２３ｂに向けてＵ字状に曲げられることで、開口部２４に向けて湾曲した形状をなしている。本実施形態では、図１に示す中空管２５を棒状体４０が兼ねている。
【００４１】
上記の棒状体４０は、以下の他の実施形態においても適用可能である。また、棒状体４０は上記の構成に限定されず、袋部材２０が巻きつけられるものであって袋部材２０の棒状体への巻き付けが解除できるものであれば、どのような構成であってもよい。
【００４２】
図３〜図６は本発明の他の実施形態の体内挿入補助具１０を示す。
この実施形態の袋部材２０は開口部２４において下方のフィルムシート２１と連続する矩形状のシート支持片５０を備えており、図４、図５に示すように、シート支持片５０を開口部２４の近傍の折り返し端部５２でポケット収容部２３内に折り返されることで折り返し部分５１を形成している。折り返し部分５１はポケット収容部２３内でワイヤー部材３０上に重ねられており、折り返し部分５１と上方のフィルムシート２１との間に貼付シートＳが収容可能な間隙Ｇが形成されている。
その他の構成については、図１の実施形態と同様であるため、同一又は対応する符号を付して説明を省略する。
【００４３】
次に、この実施形態の体内挿入補助具１０を用いた貼付シートＳの体内導入方法について説明する。以下の説明では、図１に示す実施形態の体内導入方法と異なる点を説明する。
袋部材２０が体内でフラットな状態にまで展開されて患部付近まで導入されると、図５に示すように、袋部材２０の開口部２４から突出した貼付シートＳが折り返し端部５２で患部側に折り返された状態で、別のトロッカーから挿入された鉗子又は袋部材２０により患部に位置決め固定される。その後、ワイヤー部材３０が前側に押し込まれると、ワイヤー部材３０のＵ字状の頂点がシート支持片５０の折り返し端部５２に当接し、図６に示すように、シート支持片５０の折り返し部分５１は袋部材２０の開口部２４から前方に順次押し出される。これによりシート支持片５０と上方のフィルムシート２１との間に収容された貼付シートＳがシート支持片５０と共に押し出され、患部に貼り付けられる。
【００４４】
上記のとおり、本実施形態の体内挿入補助具１０においては、ワイヤー部材３０は袋部材２０を巻きつけ状態からフラットな状態に展開するための復元機構と、折り返されたシート支持片５０を前方に押し出すための２つの機能を兼ね備えている。
【００４５】
図７は図３の実施形態の体内挿入補助具１０の変形例を示す。
この実施形態のシート支持片５０は、貼付シートＳを収容する間隙Ｇ側の先端部に先端を折り曲げかつその折り曲げ部分を接合することにより形成された段差部５３を備えている。シート支持片５０の折り返し部分５１と上方のフィルムシート２１との間に貼付シートＳが収容された状態で、段差部５３は、貼付シートＳより後端側に位置している。このため、シート支持片５０が押し出されると、シート支持片５０の段差部５３が貼付シートＳに当接して貼付シートＳを確実にポケット収容部２３から押し出すことができる。段差部５３の形成方法は本実施形態の構成に限定されず、種々の方法で形成してもよい。
その他の構成については、図３の実施形態と同様であるため、同一又は対応する符号を付して説明を省略する。
【００４６】
図３の実施形態のように段差部５３を備えていない場合には、ワイヤー部材３０の押し込み動作によりシート支持片５０が押し出されてもシート支持片５０と貼付シートＳとの間に摩擦力が十分に作用しない場合には、貼付シートＳが押し出されずにポケット収容部２３に取り残されることがある。このため、確実に貼付シートＳを押し出すためには、予め貼付シートＳの一部がポケット収容部２３の開口部２４から突出するように収容し、前記のように突出部分を折り返した状態でワイヤー部材３０で押し出す必要がある。
【００４７】
しかしながら、図７の実施形態のように段差部５３を備えている場合には、ワイヤー部材３０の押し込み動作によりシート支持片５０が押し出されると、シート支持片５０の段差部５３が貼付シートＳに当接して貼付シートＳを押し出すため、貼付シートＳはポケット収容部２３から確実に押し出される。このため、貼付シートＳ全体をポケット収容部２３内に収容した状態で棒状体の先端部に巻き付けて用いることができる。また、段差部５３が外側になるように棒状体に巻き付けることで、復元機構（ワイヤー部材３０）により袋部材２０が僅かに湾曲した状態となっても段差部５３を貼付シートＳに確実に当接させることができる。
【００４８】
図８、図９は本発明の他の実施形態の体内挿入補助具１０を示す。
この実施形態の袋部材２０は、開口部２４において上下両方のフィルムシート２１、２１と連続しかつ先端部５０ａにおいて繋がるシート支持片５０を備えている。シート支持片５０は、図９に示すように、外側の面が内向きとなって対向するようにポケット収容部２３の内側へ折り込まれることにより折り込み部分５１ａ、５１ｂが形成されるとともに、下方の折り込み部分５１ａがポケット収容部２３内のワイヤー部材３０上に重ねられている。
シート支持片５０の折り込み部分５１ａ、５１ｂはその幅を開口部２４の開口幅Ｄより小さな値に設定することにより、ポケット収容部２３に対して出し入れが可能となっており、折り込み部分５１ａ、５１ｂの間に貼付シートＳが収容可能な間隙Ｇが設けられている。
【００４９】
ワイヤー部材３０の押し込み動作により、シート支持片５０の下方の折り込み部分５１ａの折り返し端５２ａが押されることで、上下の折り込み部分５１ａ、５１ｂは袋部材２０の開口部２４から前方に順次押し出され、これにより折り込み部分の後端側の折り返し部分が折り込み部分５１ａ、５１ｂの間の間隙Ｇに収容された貼付シートＳをポケット収容部２３から確実に押し出す。
【００５０】
その他の構成については、図３の実施形態と同様であるため、同一又は対応する符号を付して説明を省略する。
【００５１】
図１０は図８の実施形態の体内挿入補助具１０の変形例を示す。
この実施形態のワイヤー部材３０はポケット収容部２３内で上下に二股に分かれた先端部３０ａ、３０ｂを有している。ワイヤー部材３０を２本のワイヤーで構成してもよい。ポケット収容部２３内において、シート支持片５０の先端部５０ａは内側へ折り込まれて折り込み部分５１ａ、５１ｂが上下に重なっている状態になっており、ワイヤー部材３０の上方の先端部３０ｂがシート支持片５０の上方の折り込み部分５１ｂと上方のフィルシート２１との間に位置し、ワイヤー部材３０の下方の先端部３０ａがシート支持片５０の下方の折り込み部分５１ａと下方のフィルシート２１との間に位置している。
【００５２】
ワイヤー部材３０の押し込み動作により、ワイヤー部材３０の二股の先端部３０ａ、３０ｂがそれぞれシート支持片５０の上下の折り込み部分５１ａ、５１ｂの折り返し端５２ａ、５２ｂに当接してシート支持片５０を押すため、上下の折り込み部分５１ａ、５１ｂは袋部材２０の開口部２４から同時に前方に順次押し出され、これにより折り込み部分５１ａ、５１ｂの間の間隙Ｇに収容された貼付シートＳが折り込み部分５１ａに支持された状態を保ちながら順次押し出される。
【００５３】
その他の構成については、図８の実施形態と同様であるため、同一又は対応する符号を付して説明を省略する。
【００５４】
図１１は図８の実施形態の体内挿入補助具１０の他の変形例を示す。
この実施形態のシート支持片５０は、先端部５０ａにおいて繋がる部分を内側へ折り込みかつその繋がる部分を接合することにより形成された接合部５４を備えている。
先端の折り返し部分５１に接合部５４を設けることで、貼付シートＳの押し出しをより確実にすることができる。
【００５５】
図８の実施形態のようにシート支持片５０がその先端部５０ａにおいて連続する場合、ワイヤー部材３０の押し込み動作を行うと、折り込み部分の後端側の折り返し部分の位置が順次移動してしまい、ワイヤー部材３０が当接している下方の折り込み部分５１ａだけが押し出されて、他方の折り返し部分５１ｂがポケット収容部２３に取り残される場合がある。しかしながら、図１１の実施形態のようにシート支持片５０の先端部５０ａに接合部５４を設けている場合、ワイヤー部材３０の押し込み動作によりシート支持片５０の下方の折り込み部分５１ａが先端側に押し出されるが、接合部５４に剛性（コシ）があるために折り込み部分の後端側の折り返し部分の位置が固定され、上方の折り込み部分５１ｂも同時に押し出される。このため、シート支持片５０の上下の折り込み部分５１ａ、５１ｂの両方を同時に先端側に押し出すことができ、貼付シートＳが安定して押し出される。
【００５６】
その他の構成については、図８の実施形態と同様であるため、同一又は対応する符号を付して説明を省略する。
【００５７】
図１２〜図１４は図３の実施形態の体内挿入補助具１０の他の変形例を示す。
この実施形態は、袋部材２０のシート支持片５０とシート支持片５０と連続する下方のフィルムシート２１とに他のフィルムシート２７が重ねられて袋状部２６が形成され、ワイヤー部材３０の先端部分が幅方向の端部より袋状部２６に挿入されている点において、図３の実施形態とは異なっている。袋状部２６は、シート支持片５０及び下方のフィルムシート２１に、他のフィルムシート２７の外周縁が封止されることにより形成される。詳細には、他のフィルムシート２７の先端縁がシート支持片５０の先端縁と接着され、他のフィルムシート２７の両側縁がシート支持片５０の両側縁と下方のフィルムシート２１の両側縁とに接着され、他のフィルムシート２７の後端縁が下方のフィルムシート２１の後端縁と接着されている。
他のフィルムシート２７は、上方及び下方のフィルムシート２１、２１と同じ素材から構成されているが、異なる素材から構成されていてもよい。
【００５８】
図１４に示すように、袋状部２６が形成されたシート支持片５０は、開口部２４で折り返され、その折り返し部分５１がポケット収容部２３に対して出し入れが可能となっている。折り返し部分５１がポケット収容部２３内に折り返されることにより折り返し部分５１と他のフィルムシート２７の折り返された部分との間に貼付シートＳが収容可能な間隙Ｇが設けられている。
【００５９】
ワイヤー部材３０は袋状部２６の内部に収容されて幅方向が常に規制されているので、ワイヤー部材３０の湾曲部が開口部より前方に押し出された際に、シート支持片５０を押し出す際の抵抗が強くなった場合でも、ワイヤー部材３０がシート支持片５０の外側に突出することがなく、ワイヤー部材３０の押し込み動作により確実にシート支持片を押し出すことができる。
【００６０】
その他の構成については、図３の実施形態と同様であるため、同一又は対応する符号を付して説明を省略する。
【００６１】
図１５〜図１７は図８の実施形態の体内挿入補助具１０の他の変形例を示す。
本実施形態は、図８の実施形態とは、シート支持片５０の下方の折り込み部分５１ａとシート支持片５０と連続する下方のフィルムシート２１とに他のフィルムシート２７が重ねられて袋状部２６が形成され、ワイヤー部材３０の先端部分が幅方向の端部より袋状部２６に挿入されている点において異なっている。
詳細には、シート支持片５０の上方の折り込み部分５１ｂの先端部５０ａよりわずかに後端側箇所と、他のフィルムシート２７の前側の端縁２７ａとが溶着や接着等により接着されて封止され、シート支持片５０の下方の折り込み部分５１ａ及び下方のフィルムシート２１に他のフィルムシート２７の側縁及び後端縁２７ｂが接着されて封止されることにより、袋状部２６が形成されている。
他のフィルムシート２７は、上方及び下方のフィルムシート２１、２１と同じ素材から構成されているが、異なる素材から構成されていてもよい。
【００６２】
図１７に示すように、袋状部２６が形成されたシート支持片５０は、外側の面が内向きとなって対向するように先端部５０ａを内側へ折り込むことによりその折り込み部分５１ａ、５１ｂがポケット収容部２３に対して出し入れが可能となっている。折り込み部分５１ａ、５１ｂがポケット収容部２３内に折り込まれることにより折り込み部分５１ｂと他のフィルムシート２７の折り込まれた部分との間に貼付シートＳが収容可能な間隙Ｇが設けられている。
【００６３】
ワイヤー部材３０は袋状部２６の内部に収容されて幅方向が常に規制されているので、ワイヤー部材３０の湾曲部が開口部より前方に押し出された際に、シート支持片５０を押し出す際の抵抗が強くなった場合でも、ワイヤー部材３０がシート支持片５０の外側に突出することがなく、ワイヤー部材３０の押し込み動作により確実にシート支持片を押し出すことができる。
また、他のフィルムシート２７の前側の端縁２７ａがシート支持片５０の上方の折り込み部分５１ｂの先端部５０ａよりわずかに後端側箇所で接着されているので、ポケット収容部２３の内側の間隙Ｇに貼付シートＳが収容された状態で、他のフィルムシート２７の前側の端縁２７ａの接着部分が貼付シートＳに対して開口部２４と反対側（後側）に位置する。このため、ワイヤー部材３０の押し込み動作によりシート支持片５０とともに他のフィルムシート２７の端縁２７ａが貼付シートＳに当接して押し出されるため、貼付シートＳをポケット収容部２３から確実に押し出すことができる。
【００６４】
その他の構成については、図８の実施形態と同様であるため、同一又は対応する符号を付して説明を省略する。
【００６５】
図１８、図１９は本発明の他の実施形態の体内挿入補助具１０を示す。
本実施形態は、図３の袋部材２０に、ワイヤー部材３０による弾性復元力を補って袋部材２０を幅方向へ展開する復元補助機構６０をさらに備えたものである。
【００６６】
復元補助機構６０は、気密室６１と、管状部材６２とからなる。
気密室６１は、袋部材２０の上方のフィルムシート２１の外側の面に設けられており、フィルムシート２１の先端側部分に他のフィルムシート２８が重ねられて外周縁が溶着、接着等によって封止されることにより全幅にわたって形成されている。他のフィルムシート２８は、上方及び下方のフィルムシート２１、２１と同じ素材から構成されているが、異なる素材から構成されていてもよい。
管状部材６２は、気密室６１の後端縁から気密室６１に先端部が差し込まれており、管状部材６２の内腔と気密室６１の内部とが連通している。
【００６７】
管状部材６２の後端部は図示しないルアーロック形状のコネクタ部品等を介してシリンジに連結されている。シリンジのプランジャを押すと、シリンジ内の空気が管状部材６２の内腔を介して気密室６１に導入されることで気密室６１を膨張させることができ、プランジャを引くと気密室６１内の空気が管状部材６２の内腔を介してシリンジ内に吸引されることで気密室６１を収縮させることができる。
【００６８】
流体を導入または吸引する手段は、シリンダに限定されるものではなく、例えば、ポンプ等を使用することも可能であり、管状部材６２の後端部との接続方法も公知の種々の方法を適用することができる。また、管状部材６２の内腔を通じて導入または吸引する流体としては、空気に限定されるものではなく、例えば、水等の液体や、炭酸ガス等の気体を使用することも可能であるが、導入時の重量変化が少ない気体が好ましく、取り扱いが容易な空気がより好ましい。
【００６９】
管状部材６２は、例えばステンレス等の金属製のパイプやポリエチレン、ポリプロピレン、ポリスチレン、ポリ塩化ビニル等の合成樹脂製のチューブにより構成されているが、他の材質により構成されていてもよい。管状部材６２の材質を他のフィルムシート２８及び上方のフィルムシート２１と同材質の合成樹脂製のチューブとし、他のフィルムシート２８及び上方のフィルムシート２１との溶着と同時に管状部材６２を熱溶着してもよい。
【００７０】
上記の構成によれば、袋部材２０がトロッカーから突出した際に貼付シートＳの棒状体への巻き付けが十分に解除されず袋部材２０がフラットな状態に復元されていない場合であっても、管状部材６２を介して気密室６１に空気などの流体を導入することで袋部材２０をフラットな状態とすることができる。また、袋部材２０がフラットな状態となった後、気密室６１に空気を保つことで袋部材２０をフラットな状態に維持することができるため、ワイヤー部材３０により貼付シートＳを安定して袋部材２０から押し出すことができる。
【００７１】
その他の構成については、図３の実施形態と同様であるため、同一又は対応する符号を付して説明を省略する。
【００７２】
なお、気密室６１は下方のフィルムシート２１に形成されていてもよく、この場合、他のフィルムシート２８が下方のフィルムシート２１の外側の面に重ねられて外周縁が封止される。
また、本実施形態では、気密室６１はフィルムシート２１の先端側部分に形成されているが、上方または下方のフィルムシート２１の前後方向の全体にわたって形成されていてもよい。
また本実施形態では、復元補助機構６０は図３〜図６に示す実施形態の袋部材２０に設けられているが、図７〜図１７に示す実施形態の袋部材２０に設けられていてもよい。
【００７３】
図２０は本発明の他の実施形態の体内挿入補助具１０を示す。
本実施形態は、図３の袋部材２０に、ワイヤー部材３０による弾性復元力を補って袋部材２０を幅方向へ展開する復元補助機構６０をさらに備えたものであり、図１８の実施形態とは復元補助機構６０の構成が異なっている。
【００７４】
本実施形態の復元補助機構６０は、案内通路６３と、可撓性部材６４とを備えている。
案内通路６３は、袋部材２０の上方のフィルムシート２１の外側の面に他のフィルムシート２８が重ねられて外周縁が溶着、接着等によって封止されることにより、上方のフィルムシート２１と他のフィルムシート２８との間に全幅にわたって形成されている。
【００７５】
可撓性部材６４は、案内通路６３の後端縁６３ａの幅方向の一側端部より中空管６５を介して案内通路６３にスライド自在に導入可能であって案内通路６３の幅方向の他側端部まで到達可能な長さを有し、その先端部分が幅方向へＬ字状に湾曲可能である。
【００７６】
可撓性部材６４は、例えば、ステンレス、タンタル、ニッケル−チタン合金などからなる単線または撚り線からなる金属ワイヤーまたは密巻きコイルから構成されている。また、可撓性部材６４の長さ方向に対して直交方向の断面形状は、特に限定はされないが、円、楕円、長方形等が挙げられる。
【００７７】
中空管６５は、他のフィルムシート２８と上方のフィルムシート２１との間に接着、熱溶着等により固定されており、この中空管６５の内腔を介して可撓性部材６４が案内通路６３にスライド自在に挿入されている。中空管６５は、例えばステンレス等の金属製のパイプやポリエチレン、ポリプロピレン、ポリスチレン、ポリ塩化ビニル等の合成樹脂製のチューブにより構成されているが、他の材質により構成していてもよい。他のフィルムシート２８と上方のフィルムシート２１と同材質の合成樹脂製のチューブとし、他のフィルムシート２８の外周縁と同時に中空管２５を熱溶着してもよい。また、中空管６５を用いずに、他のフィルムシート２８と上方のフィルムシート２１の未溶着部を設けて、未溶着部から可撓性部材６４を案内通路６３内に挿入してもよい。
【００７８】
その他の構成については、図３の実施形態と同様であるため、同一又は対応する符号を付して説明を省略する。
【００７９】
次に、この実施形態の体内挿入補助具１０を用いた貼付シートＳの体内導入方法について説明する。以下の説明では、図３に示す実施形態の体内導入方法と異なる点を説明する。
可撓性部材６４の先端部が案内通路６３内に突出していないか、わずかに突出した状態で、貼付シートＳを収容した袋部材２０は棒状体に巻き付けられる。袋部材２０がトロッカーから突出した際に、貼付シートＳの棒状体への巻き付け解除が不十分であり袋部材２０がフラットな状態に復元されていない場合に、可撓性部材６４を先端側に押し込む。これにより、図２０に示すように、案内通路６３内で可撓性部材６４の先端部がＬ字状に変形し、幅方向の一側端から挿入された可撓性部材６４の先端が他側端まで到達するため、袋部材２０をフラットな状態とすることができる。また、袋部材２０がフラットな状態となった後も可撓性部材６４を案内通路６３に挿入しておくことで、袋部材２０をフラットな状態に維持することができるため、ワイヤー部材３０により貼付シートＳを安定して袋部材２０から押し出すことができる。
【００８０】
可撓性部材６４を案内通路６３内に押し込む際に、可撓性部材６４の先端部がフィルムシート２１などを突き破らないように先端部に球状体を設けるか、可撓性部材６４に予め曲げくせを付けておくことで、先端部分のＬ字状の湾曲が容易になる。
【００８１】
なお、案内通路６３は下方のフィルムシート２１に形成されていてもよく、この場合、他のフィルムシート２８が下方のフィルムシート２１の外側の面に重ねられて外周縁が封止される。
また、幅方向の一側端から挿入された可撓性部材６４の先端が他側端まで到達可能であれば、案内通路６３の前後方向の長さは任意であり、フィルムシート２１の前後方向の全体にわたって案内通路６３が設けられていてもよい。
また、本実施形態では、復元補助機構６０は図３〜図６に示す実施形態の袋部材２０に設けられているが、図７〜図１９に示す実施形態の袋部材２０に設けられていてもよい。
【００８２】
上述した全ての実施形態において、ワイヤー部材３０のポケット収容部２３に挿入された部分の形状は、Ｕ字状には限定されず、図２１（Ａ）に示すように、環状であってもよい。この場合、ワイヤー部材３０の先端部はポケット収容部２３の後端縁２３ａの幅方向の中央部から挿入され、ワイヤー部材３０の環状の中心をポケット収容部２３の幅方向の中央部に位置させ、ワイヤー部材３０の先端を幅方向の一側縁に到達させている。
【００８３】
また、図２１（Ｂ）に示すように、ワイヤー部材３０のポケット収容部２３に挿入される部分はワイヤー部材３０を湾曲させて一周させたものであってもよい。
【００８４】
さらに、ワイヤー部材３０は１本に限定されず、複数本のワイヤー部材３０Ａ、３０Ｂを用いてもよい。例えば図２１（Ｃ）に示すように、２本のワイヤー部材３０Ａ、３０Ｂの先端部がポケット収容部２３の後端縁２３ａの幅方向の中央部に挿入され、その挿入された部分が開口部２４の手前位置において幅方向の端部へそれぞれＵ字状に曲げられて各先端がポケット収容部２３の一側縁または他側縁に達していてもよい。
【００８５】
図２２は図１の実施形態の体内挿入補助具１０の変形例を示す。
本発明の体内挿入補助具１０は、袋部材２０と、気密室６１と、管状部材６２とを備えたものである。すなわち、図１に示す実施形態の復元機構であるワイヤー部材３０を図１８、図１９に示す気密室６１と管状部材６２とに変更したものである。
【００８６】
袋部材２０は、矩形状の２枚の重なるフィルムシート２１、２１よりなり、外周縁が一端部の開口部２４を残して熱溶着、接着等により封止されることにより形成されている。フィルムシート２１、２１間には貼付シートＳの収容が可能なポケット収容部２３を備え、開口部２４はポケット収容部２３に対して貼付シートＳの出し入れが可能な開口幅Ｄを有している。
【００８７】
気密室６１は、袋部材２０の上方のフィルムシート２１の外側の面に他のフィルムシート２８が重ねられて外周縁が封止されることにより全幅にわたって形成されており、管状部材６２は、気密室６１に先端部が差し込まれている。
【００８８】
袋部材２０の他の構成は図１の実施形態と同様であり、気密室６１及び管状部材６２の他の構成は図１８、１９に示す実施形態と同様であるため、同一又は対応する符号を付して説明を省略する。
【００８９】
次に、この実施形態の体内挿入補助具１０を用いた貼付シートＳの体内導入方法について説明する。
まず、貼付シートＳの一部がポケット収容部２３の開口部２４から突出するように体内挿入補助具１０のポケット収容部２３に貼付シートＳを収容する。
そして、袋部材２０を開口部２４を先端側にして幅方向に沿って棒状体（図示せず）の先端部に巻き付け、トロッカーの貫通孔に挿入する。袋部材２０が体内でトロッカーから突出した後に、患部の近傍で管状部材６２を介して気密室６１に空気などの流体を導入する。これにより、気密室６１が膨張することにより袋部材２０がフラットな状態に展開される。また、袋部材２０がフラットな状態となった後も気密室６１に空気を保つことで袋部材２０をフラットな状態に維持することができる。
【００９０】
この状態で、別のトロッカーから挿入された鉗子により袋部材２０から突出した貼付シートＳの先端部を挟持し、袋部材２０から貼付シートＳを取り出して患部に貼付する。
貼付シートＳの患部への貼付が完了すると、気密室６１から空気などの流体を吸引することで気密室６１を収縮させた後にトロッカーから引き抜く。
【００９１】
上記の構成の体内挿入補助具１０では、貼付シートＳを収容した袋部材２０を棒状体の先端部に巻き付ける際は、柔軟なフィルムシート２１のみの構成であり、巻き付け作業が容易になる。また、気密室６１に空気などの流体を導入し袋部材２０をフラットな状態に保つことで袋部材から容易に貼付シートＳを取り出すことができる。さらに、貼付が完了した後は、管状部材６２を介して気密室６１から空気などの流体を吸引することで、柔軟なフィルムシート２１のみの構成とすることができ、トロッカーからの回収も容易になる。
【００９２】
以上、本発明の一実施形態について説明したが、本発明は上記実施形態に限定されるものではなく、本発明の趣旨を逸脱しない限りにおいて種々の変更が可能である。
【符号の説明】
【００９３】
１０  体内挿入補助具
２０  袋部材
２１、２１  フィルムシート
２３  ポケット収容部
２４  開口部
２６  袋状部
２７  他のフィルムシート
２８  他のフィルムシート
３０  ワイヤー部材
４０  棒状体
５０  シート支持片
５１  折り返し部分
５２  折り返し端部
５３  段差部
５４  接合部
６０  復元補助機構
６１  気密室
６２  管状部材
６３  案内通路
６４  可撓性部材
Ｇ  貼付シートが収容可能な間隙
Ｓ  貼付シート
【図１】
2018000553.tif 000003
【図２】
2018000553.tif 000004
【図３】
2018000553.tif 000005
【図４】
2018000553.tif 000006
【図５】
2018000553.tif 000007
【図６】
2018000553.tif 000008
【図７】
2018000553.tif 000009
【図８】
2018000553.tif 000010
【図９】
2018000553.tif 000011
【図１０】
2018000553.tif 000012
【図１１】
2018000553.tif 000013
【図１２】
2018000553.tif 000014
【図１３】
2018000553.tif 000015
【図１４】
2018000553.tif 000016
【図１５】
2018000553.tif 000017
【図１６】
2018000553.tif 000018
【図１７】
2018000553.tif 000019
【図１８】
2018000553.tif 000020
【図１９】
2018000553.tif 000021
【図２０】
2018000553.tif 000022
【図２１】
2018000553.tif 000023
【図２２】
2018000553.tif 000024